(57)【要約】      （修正有）【課題】節水性能を向上させた便器装置を提供する。【解決手段】下流端を自由端としたトラップ筒４１と、トラップ筒４１の下流端を上下に回動させる回動機構部５とを備え、トラップ筒４１を回動機構部５による回動で封水姿勢と排水姿勢とに切替自在とした便器装置であって、トラップ筒４１に設けられ可撓性を有した筒体部７と、筒体部７をその軸方向に伸縮させる伸縮機構部６とを有し、伸縮機構部６は、前記封水姿勢時に筒体部７を収縮させる。【選択図】図１
2015059368.tif 000002
【特許請求の範囲】
【請求項１】
下流端を自由端としたトラップ筒と、前記トラップ筒の下流端を上下に回動させる回動機構部とを備え、前記トラップ筒を前記回動機構部による回動で封水姿勢と排水姿勢とに切替自在とした便器装置であって、
前記トラップ筒に設けられ可撓性を有した筒体部と、この筒体部をその軸方向に伸縮させる伸縮機構部とを有し、
前記伸縮機構部は、前記封水姿勢時に前記筒体部を収縮させた状態とするものであることを特徴とする便器装置。
【請求項２】
前記伸縮機構部は、前記排水姿勢時に前記筒体部を伸長させた状態とするものであることを特徴とする請求項１記載の便器装置。
【発明の詳細な説明】
【技術分野】
【０００１】
本発明は、上下に回動するトラップ筒を備えた便器装置に関するものである。
【背景技術】
【０００２】
従来、回動機構によってトラップの下流端開口部を上下に回動自在とする水洗便器がある（特許文献１等参照）。この水洗便器では、下流端開口部が上方を向いた状態で下流端開口部の回動半径を大きくする伸長機構を備える。
【先行技術文献】
【特許文献】
【０００３】
【特許文献１】特開２０１３−２３９２０号公報
【発明の概要】
【発明が解決しようとする課題】
【０００４】
ところで、特許文献１等の従来の便器装置では、ボウルの水や汚物等が、ボウルの底開口からトラップを介して、建物の床等に設けた排水口に排出される。そして、便器装置は、ボウルの底開口からトラップの上流端に至る流路を満水にした後に封水状態となる。言い換えると、便器装置は、封水状態とするために、少なくとも前記流路を満水にできる水位以上に水を溜める必要がある。
【０００５】
ここで、トラップは、排水口によって位置が規定される。このため、排水口の位置によっては、例えば側面視においてトラップを収納したケースの上部とボウルとの間に隙間を生じる程度に、ケース（トラップ）がボウルから離れて位置することがある。この場合、前記流路が長くなり、封水状態に必要な水が増加して、節水性能が低下する恐れがある。
【０００６】
そこで、本発明は、前記従来の問題点に鑑みて発明したもので、その目的とするところは、節水性能を向上させた便器装置を提供することにある。
【課題を解決するための手段】
【０００７】
上記課題を解決するために、本発明は、下流端を自由端としたトラップ筒と、前記トラップ筒の下流端を上下に回動させる回動機構部とを備え、前記トラップ筒を前記回動機構部による回動で封水姿勢と排水姿勢とに切替自在とした便器装置であって、前記トラップ筒に設けられ可撓性を有した筒体部と、この筒体部をその軸方向に伸縮させる伸縮機構部とを有し、前記伸縮機構部は、前記封水姿勢時に前記筒体部を収縮させた状態とするものであることを特徴とする。
【０００８】
この便器装置として、前記伸縮機構部は、前記排水姿勢時に前記筒体部を伸長させた状態とするものであることが好ましい。
【発明の効果】
【０００９】
本発明は、前記構成を具備したことで、封水姿勢時において、ボウル部からトラップ筒の下流端に至る流路長を縮めることができる。このため、本発明は、排水姿勢時において、ボウル部からトラップ筒の下流端に至る流路内に貯留する水量等の、封水用に貯留する水量を、縮めていない状態に比べて低減する（削減する）ことができる。これによって、本発明は、節水性能を向上させ易くすることができる。
【図面の簡単な説明】
【００１０】
【図１】実施形態の便器装置のボウル部及び排水経路の側面図である。
【図２】図１の模式的な側断面図を示し、（ａ）が第２状態で且つ封水姿勢であり、（ｂ）が第１状態で且つ排水姿勢である。
【図３】制御部による制御動作の模式的なタイミングチャートである。
【図４】制御部等のブロック図である。
【図５】便器装置の斜視図である。
【発明を実施するための形態】
【００１１】
以下、本発明を添付図面の実施形態に基づいて説明する。本実施形態の便器装置は、例えば、使用者が着座して使用する椅子型の便器、所謂洋式便器である。便器装置は、図５に示すように、ボウル部１２を有した便器本体１と、ボウル部１２の上方に載置可能な便座（図示せず）及び便蓋（図示せず）とを備える。便器本体１は、例えばトイレルーム等の床（図示せず）に固定される。また、前記便座及び前記便蓋は、便器本体１上の一端部に枢支される。
【００１２】
以下、前後方向は、利用者が便器装置に着座した状態から視た方向で定義する。すなわち、以下の説明では、便器装置を前記床に設置した状態の平面視を基準として、前記便座に着座した利用者から視て前側を前方、後側を後方とし、前後方向に交差する左右方向を側方とする。このため、前記便座及び前記便蓋は、便器本体１の後端部に枢支される。
【００１３】
便器本体１は、ボウル部１２を有する外殻１１と、外殻１１を内側から支持するフレーム（図示せず）とで形成される。便器本体１は、ボウル部１２に給水するよう構成される給水経路（図示せず）と、ボウル部１２の水や汚物等を排出するよう構成される排水経路３（図１参照）と、機能部２（図４参照）とを備える。
【００１４】
ボウル部１２は、外殻１１の前側に形成される。このため、ボウル部１２は、便器本体１の前部に設けられる。ボウル部１２は、図２や図５に示すように、上方に開口した椀状部１３を有する。椀状部１３は、図２に示すように、その底部に、開口（底開口１４）が設けてある。底開口１４は、例えば、後方に向けて開口して形成される。
【００１５】
また、底開口１４には、排水筒１５が連通して設けてある。排水筒１５は、例えば、円筒状に形成されており、椀状部１３と一体に形成される。排水筒１５は、底開口１４から後方に突出して形成される。このため、排水筒１５は、その後端が、ボウル部１２の下流端１２ａとなっている。
【００１６】
機能部２は、例えば、図４に示すように、前記給水経路の止水ユニット２１や、制御部２２を有する。なお、機能部２は、止水ユニット２１や制御部２２の他に、局部洗浄装置や脱臭装置等を有してもよい。
【００１７】
前記給水経路は、その上流端を外部の水道管等の給水源（図示せず）に接続することで、この給水源から水が供給されるよう構成される。前記給水経路は、その下流端が、ボウル部１２の上端部に開口して設けてある。前記給水経路は、その途中に止水ユニット２１が設けてある。止水ユニット２１は、前記給水経路を通水状態（通水）と止水状態（止水）とに切り替える。
【００１８】
このため、前記給水経路は、止水ユニット２１を介して通水状態となることで、前記給水源からの水をボウル部１２に供給する（吐出する）よう構成される。これによって、便器本体１は、例えば、前記給水経路からの水をボウル部１２に溜めたり、この水でボウル部１２内面を洗浄したり、この水でボウル部１２内の水や汚物等を排水経路３に流動させたりすることができる。
【００１９】
排水経路３は、図１や図２に示すように、その上流端（前端）が排水筒１５の後端（ボウル部１２の下流端１２ａ）に連通接続してある。そして、排水経路３は、その下流端に、下流筒３２を備える。下流筒３２は、上下に開口した筒状に形成される。下流筒３２は、その下流端（下端）が、前記床に設けた排水口（図示せず）に連通接続してある。
【００２０】
このように、排水経路３は、ボウル部１２（排水筒１５）と前記排水口との間に設けてあり、ボウル部１２と前記排水口とを連通接続するよう構成される。
【００２１】
また、排水経路３は、排水筒１５と下流筒３２との間に、前記排水口からの臭気等の逆流防止用のトラップ装置４が設けてある。トラップ装置４は、トラップ筒４１と、回動機構部５と、ケース４２とを備える。
【００２２】
ケース４２は、箱状に形成される。ケース４２は、その内部空間が、排水経路３の一部となっている。言い換えると、ケース４２は、便器本体１の外殻１１より内側に配置されており、排水経路３の一部を形成するよう構成される。
【００２３】
ケース４２は、その底部に、ケース４２内外に貫通した貫通孔４２ｂが設けてある。ケース４２の外下方には、連通路４４が取り付けてある。連通路４４は、可撓性を有した筒状に形成される。連通路４４は、例えば、蛇腹形状の筒状の部材（所謂筒状体）等で形成されることが好ましい。
【００２４】
連通路４４は、その上端（上流端）がケース４２に固定してあり、連通路４４の筒内が貫通孔４２ｂ（ケース４２内）に連通接続してある。そして、連通路４４は、その下端（下流端）が、下流筒３２の上端（上流端）に固定してあり、連通路４４の筒内が、下流筒３２の筒内に連通接続してある。このため、ケース４２は、その内部が、連通路４４を介して、下流筒３２（前記排水口）に連通するよう構成される。
【００２５】
また、ケース４２の前壁部には、開口部４２ａが設けられている。開口部４２ａは、前後に貫通して（ケース４２内外を貫通して）形成される。開口部４２ａには、トラップ筒４１の上流側が固定される。
【００２６】
トラップ筒４１は、ケース４２内に収納される。トラップ筒４１は、可撓性を有する。トラップ筒４１は、例えば、蛇腹形状の筒状の部材（所謂筒状体）等で形成されることが好ましい。
【００２７】
トラップ筒４１は、上流側を開口部４２ａに挿通した状態で、ケース４２の前記前壁部に固定してある。言い換えると、トラップ筒４１は、ケース４２に固定される固定部位４１ａを有する。トラップ筒４１は、固定部位４１ａより上流側の部位（以下、上流側部位３１とする）が、ケース４２から前方に突出する。そして、上流側部位３１は、その上流端が、排水筒１５に固定してある。
【００２８】
このため、トラップ筒４１（上流側部位３１）の上流端は、排水経路３の上流端となっており、排水筒１５（ボウル部１２）に連通している。このように、排水経路３は、トラップ装置４と、連通路４４と、下流筒３２とを、上流側からこの順番で有する。
【００２９】
また、トラップ筒４１は、下流端４１ｂの開口（下流側開口）が、ケース４２内に開口する。言い換えると、トラップ筒４１は、下流端４１ｂをケース４２内に開放して配置してある。このため、トラップ筒４１は、下流端４１ｂが所謂自由端になっている。そして、トラップ筒４１は、前記下流側開口を上方に向けた封水姿勢と、前記下流側開口を後方（後方下向きを含む）に向けた排水姿勢とに切替自在となっている。
【００３０】
このため、トラップ装置４（便器装置）は、トラップ筒４１を前記封水姿勢にして、下流端４１ｂ近傍まで筒内に水を溜めることで、ボウル部１２側への臭気等の逆流を抑制する封水状態にすることができる。そして、トラップ装置４（便器装置）は、トラップ筒４１を前記排水姿勢にすることで、トラップ筒４１内やボウル部１２内の水等を連通路４４に向けて排出する排水状態にすることができる。
【００３１】
なお、本例では、下流筒３２の筒内の後部に、受け部３３が設けてあり、下流筒３２の筒内の前部に、前記排水口に連通する連通口が設けてある。受け部３３は、トラップ筒４１の下流端４１ｂからの水や汚物等の落下物を一旦受けるよう構成される。
【００３２】
これによって、便器装置は、前記落下物の着水による落下音を軽減することができる。言い換えると、下流筒３２は、前記排水口への着水による落下音を軽減する受け部３３を有する。
【００３３】
回動機構部５は、トラップ筒４１を上下に回動させるよう構成される。例えば、回動機構部５は、トラップ筒４１の下流端４１ｂを保持するアーム５３と、アーム５３を旋回させる回動部５１とを備える。
【００３４】
回動部５１は、ケース４２外（ケース４２の左右一方の外側）に配置される。回動部５１は、ケース４２に取り付けてある。回動部５１は、例えば、アーム５３に回転駆動を出力する出力軸５２を備える。出力軸５２は、左右に沿って軸心を有しており、軸周りに回転駆動する。そして、出力軸５２は、ケース４２内外に貫通して設けてあり、ケース４２内の部位にアーム５３が固定してある。
【００３５】
アーム５３は、長尺に形成される。アーム５３は、長手方向の一端に、出力軸５２が固定してある。アーム５３は、回動部５１の駆動によって、出力軸５２の軸心を支点に長手方向の他端側を上下に回動するよう構成される。そして、アーム５３は、長手方向の他端に、トラップ筒４１の下流端４１ｂが固定してある。
【００３６】
このため、アーム５３は、その回動に伴い、トラップ筒４１の下流端４１ｂを上下に回動させる。言い換えると、トラップ筒４１は、ケース４２内において、下流端４１ｂが上下に回動自在（旋回自在）となっている。そして、トラップ装置４は、トラップ筒４１の下流端４１ｂを回動させることで、トラップ筒４１の姿勢を、前記封水姿勢と前記排水姿勢とに切り替えるよう構成される。
【００３７】
また、排水経路３には、伸縮機構部６が設けてある。伸縮機構部６は、ケース４２（トラップ装置４）を前後に移動させるよう構成される。伸縮機構部６は、例えば、ガイド部６１と、移動体６３と、駆動部６４（図４参照）とを備える。
【００３８】
ガイド部６１は、下流筒３２の外方（左右側方）に配置される。ガイド部６１は、前記フレームに固定して設けられる。なお、ガイド部６１は、前記フレームに限らず、外殻１１の内面に固定して設けてもよい。
【００３９】
ガイド部６１は、前後に長尺で形成されており、例えば、前後に長尺なレール６２を有する。レール６２は、左右一対で設けてある。言い換えると、レール６２は、下流筒３２の左右両方に夫々一つずつ設けてあり、二つのレール６２は、下流筒３２を介して対をなして配置してある。
【００４０】
移動体６３は、ケース４２に取り付けてある。移動体６３は、左右に夫々設けてある。例えば、ケース４２は、左右下端に、取付片４５が垂下して設けてあり、左右の各取付片４５に夫々移動体６３が取り付けてある。
【００４１】
移動体６３は、ガイド部６１にガイドされて、前後に移動自在となっている。言い換えると、移動体６３は、ガイド部６１によって前後に沿って移動するよう移動方向が規制される。そして、移動体６３は、ガイド部６１の長手方向（前後）に沿って移動自在となっている。
【００４２】
移動体６３は、例えば、レール６２上に配置される。移動体６３は、例えば、レール６２に沿って走行自在の車輪となっており、ケース４２（取付片４５）に転動自在で取り付けてある。
【００４３】
そして、移動体６３（車輪）は、各レール６２に、夫々二つずつ設けてある。同じレール６２に配置される二つの移動体６３は、前後に所定の間隔をおいて並べてある。そして、前後二つの移動体６３が並ぶ間隔は、各レール６２で同寸となっている。
【００４４】
すなわち、移動体６３は、左右に対をなして前後に二つ並んで設けてあり、左右の各ガイド部６１に夫々対応する。言い換えると、移動体６３は、左右に二対で設けてある。
【００４５】
駆動部６４は、例えば、ケース４２外方（左右外方）に配置される。駆動部６４は、例えば、ケース４２に固定して設けられる。
【００４６】
駆動部６４は、前記駆動源の駆動を移動体６３に伝達して、移動体６３をガイド部６１にガイドされた状態で移動させる。言い換えると、駆動部６４は、移動体６３をガイド部６１に沿って前後に移動させるよう構成される。駆動部６４は、例えば、モータ等の駆動源（図示せず）を有しており、駆動部６４は、前記駆動源の回転駆動によって、前記車輪を転動させてレール６２上を走行させる。
【００４７】
伸縮機構部６は、駆動部６４の駆動によって移動体６３を前後に移動させることで、ケース４２を前後に移動させるよう構成される。そして、ケース４２は、伸縮機構部６による前後移動（前後動）で、平面視貫通孔４２ｂが下流筒３２と上下に並ぶ（重なる）第１状態と、貫通孔４２ｂが下流筒３２より前方にずれて位置する第２状態とに切り替わる。言い換えると、便器装置は、伸縮機構部６によって第１状態と第２状態とに切替自在でケース４２を備える。
【００４８】
ここで、ケース４２は、第１状態において貫通孔４２ｂを下流筒３２（前記排水口）と上下に連通させて配置されるため、第１状態となる位置が前記排水口に位置規定される。そして、ケース４２は、第１状態において、その上部が側面視ボウル部１２（椀状部１３）との前後の間に隙間を有して位置する。
【００４９】
また、ケース４２は、第１状態から第２状態に切り替わるとき、ボウル部１２との前記隙間を狭めるように移動する。このため、第２状態では、ケース４２の前記上部がボウル部１２（椀状部１３）に近接して位置する。
【００５０】
更に、便器装置は、第１状態に加えて、第２状態及びケース４２の前後動時において、連通路４４の可撓性によって、ケース４２の貫通孔４２ｂと下流筒３２とを連通接続させた状態に保持される。このため、便器装置は、前記排水口側からの臭気等のケース４２外や下流筒３２外等への漏れを抑制することができる。
【００５１】
また、トラップ筒４１は、上流側部位３１が、可撓性を有した筒状に形成される。言い換えると、トラップ筒４１は、ケース４２（固定部位４１ａ）から上流側（前方）に突出して、可撓性を有した筒体部７が設けてある。筒体部７は、前後に沿って軸心を有しており、前後に沿った直線状に設けてある。筒体部７は、例えば、蛇腹形状の筒状の部材（所謂筒状体）等で形成されることが好ましい。
【００５２】
筒体部７は、その可撓性によって、例えば、図２に示すように、ケース４２が第１状態から第２状態になることで、前後において蛇腹の間隔が狭まり、前後に収縮する（前後長が短くなる）。これによって、便器装置は、収縮前に比べて、ボウル部１２（底開口１４）からトラップ筒４１の固定部位４１ａより下流側の部位（ケース４２内に位置する部位）に至る流路の全長（流路長）が短くなる。以下、前述の固定部位４１ａより下流側の部位をトラップ筒４１の下流側部位とする。
【００５３】
そして、筒体部７は、その可撓性によって、例えば、第２状態から第１状態になることで、前後において蛇腹の間隔が広がり、前後に伸長する（前後長が長くなる）。これによって、便器装置は、伸長前に比べて、ボウル部１２（底開口１４）からトラップ筒４１の前記下流側部位に至る流路長が長くなる。言い換えると、便器装置は、収縮させた筒体部７を伸長させることで、短く縮めたボウル部１２（底開口１４）からトラップ筒４１の前記下流側部位に至る流路長を元の長さに戻すことができる。
【００５４】
このように、筒体部７は、その可撓性によって、ケース４２の前後動に伴い前後に伸縮自在となっている。言い換えると、伸縮機構部６は、ケース４２の前後動によって筒体部７を前後に（筒の軸方向に沿って）伸縮させるよう構成される。
【００５５】
そして、便器装置は、筒体部７の可撓性によって、伸縮機構部６による筒体部７の伸縮時（ケース４２の前後動時）において、排水筒１５とトラップ筒４１（トラップ装置４）とを連通接続させた状態に保持される。このため、便器装置は、ボウル部１２とトラップ筒４１（トラップ装置４）とを連通接続させた状態で、底開口１４（排水筒１５）からトラップ筒４１の前記下流側部位（下流端４１ｂ）に至る流路長を変更することができる。
【００５６】
更に、筒体部７は、収縮することで、収縮前に比べて、筒内における蛇腹間の隙間を狭めることができる。そして、収縮した筒体部７は、前記収縮前に比べて、蛇腹の間の角度が鋭角となり、筒体部７の内径Ｒ１が縮小される。なお、前述の筒体部７の内径Ｒ１とは、筒体部７の軸心を通る直線上における蛇腹の筒内に凸となる角間の寸法となっている。
【００５７】
また、筒体部７は、伸長することで、伸長前に比べて、筒内における蛇腹間の隙間を広げることができる。これによって、筒体部７は、伸長前に比べて、筒の内周面における蛇腹による凹凸をなだらかにした形状とすることができる。そして、伸長した筒体部７は、前記伸長前に比べて、蛇腹の間の角度が鈍角となり、筒体部７の内径Ｒ１が拡大される。
【００５８】
なお、筒体部７は、伸長した状態（内径Ｒ１を拡大した状態）で、傾斜した内面で排水筒１５及びトラップ筒４１に夫々連通接続されることが好ましい。言い換えると、便器装置は、排水筒１５と筒体部７との間及び筒体部７（上流側部位３１）とトラップ筒４１の固定部位４１ａとの間を段差の無い形状とすることが好ましい。
【００５９】
制御部２２は、回動機構部５の回動、伸縮機構部６の伸縮、止水ユニット２１による通水と止水との切替を夫々制御するよう構成される。なお、便器装置は、制御部２２として、回動機構部５用の制御部と、伸縮機構部６用の制御部と、止水ユニット２１用の制御部とを夫々備えてもよい。
【００６０】
制御部２２は、図２（ａ）に示すように、前記封水姿勢時に第２状態となるよう制御する。このため、筒体部７は、封水姿勢時に、収縮した状態で排水筒１５とトラップ筒４１とを連通接続する。
【００６１】
また、制御部２２は、図３に示すように、前記封水姿勢から前記排水姿勢に切り替える排水動作Ｓ１、前記排水姿勢に保持する保持動作Ｓ２、前記排水姿勢から再度前記封水姿勢に戻す復元動作Ｓ３を順番に行うよう回動機構部５を制御する。
【００６２】
排水動作Ｓ１では、前記封水姿勢のトラップ筒４１を、所定の時間（第１時間Ｔ１）かけて、上方に移動させて（回動させて）、下流端４１ｂを前記封水姿勢より更に上方の所定位置（上位置）に位置させる。排水動作Ｓ１では、トラップ筒４１の姿勢を前記上位置に位置させた状態に、所定の時間（第２時間Ｔ２）保持する。排水動作Ｓ１では、前記上位置で第２時間Ｔ２保持後、所定の時間（第３時間Ｔ３）かけて、下方に移動させて（回動させて）、トラップ筒４１を前記排水姿勢に切り替える。
【００６３】
これによって、排水動作Ｓ１は、完了（終了）となり、保持動作Ｓ２に切り替わる。保持動作Ｓ２では、トラップ筒４１を前記排水姿勢に、所定の時間（第４時間Ｔ４）保持する。そして、回動機構部５の動作は、前記排水姿勢での保持が第４時間Ｔ４経過することで、保持動作Ｓ２が完了（終了）となり、復元動作Ｓ３に切り替わる。
【００６４】
復元動作Ｓ３では、前記排水姿勢のトラップ筒４１を、所定の時間（第５時間Ｔ５）かけて、上方に移動させて（回動させて）、前記排水姿勢に切り替える。これによって、復元動作Ｓ３は、完了（終了）となり、トラップ筒４１は、前記封水姿勢に戻る。
【００６５】
なお、制御部２２は、前述のような時間での動作の切替に限らず、回動位置、前後位置、駆動量や伸縮量等に基づいて動作の切替を行ってもよい。
【００６６】
また、制御部２２は、排水動作Ｓ１の開始時に、前記給水経路を通水に切り替えるよう止水ユニット２１を制御する。そして、制御部２２は、例えば、復元動作Ｓ３完了後、所定の時間（第６時間Ｔ６）経過するまで通水を継続し、第６時間Ｔ６経過後に、前記給水経路を止水に切り替えるよう止水ユニット２１を制御する。
【００６７】
これによって、便器装置は、回動機構部５の動作に対応させて、ボウル部１２の汚物の排出や、ボウル部１２等の洗浄、排出後のボウル部１２及びトラップ筒４１への貯水を行うことができる。なお、制御部２２は、前述のような時間での止水への切替に限らず、給水量等に基づいて切替を行ってもよい。また、第６時間Ｔ６は、回動機構部５の動作の進行具合に応じてその長さを変更するものが好ましい。
【００６８】
また、制御部２２は、回動機構部５の動作時に、第２状態から第１状態に切り替える後退動作Ｓ１１（伸長動作）、第１状態で待機する待機動作Ｓ１２、第１状態から再度第２状態に戻す前進動作Ｓ１３（収縮動作）を順番に行うよう伸縮機構部６を制御する。
【００６９】
制御部２２は、排水動作Ｓ１の途中で後退動作Ｓ１１（後方への移動）を開始させるよう伸縮機構部６を制御する。伸縮機構部６は、例えば、トラップ筒４１の下方への回動開始時（前記上位置での第２時間Ｔ２保持後）から所定の時間（第７時間Ｔ７）経過後に、ケース４２の後方への移動を開始する。そして、後退動作Ｓ１１では、第２状態のケース４２を、所定の時間（第８時間Ｔ８）かけて、後方に移動させて（後退させて）、第１状態に切り替える。
【００７０】
これによって、筒体部７は、第２状態の場合に比べて伸長され、ケース４２は、貫通孔４２ｂが下流筒３２と上下に並ぶ。
【００７１】
そして、後退動作Ｓ１１は、ケース４２が第１状態に位置することで、完了（終了）となり、待機動作Ｓ１２に切り替わる。なお、第７時間Ｔ７に第８時間Ｔ８を足した時間（数値）は、第３時間Ｔ３に比べて短く（小さく）設定されており、後退動作Ｓ１１は、排水動作Ｓ１の完了より前（早く）に完了する。
【００７２】
待機動作Ｓ１２では、第１状態で、所定の時間（第９時間Ｔ９）待機する。このため、筒体部７は、待機動作Ｓ１２において、伸長した状態で、第９時間Ｔ９保持される。
【００７３】
そして、制御部２２は、伸縮機構部６の待機動作Ｓ１２中に、回動機構部５が保持動作Ｓ２となるよう制御する。言い換えると、制御部２２は、図２（ｂ）に示すように、前記排水姿勢時に第１状態となるよう制御する。このため、筒体部７は、前記排水姿勢時に、伸長した状態で排水筒１５とトラップ筒４１とを連通接続する。
【００７４】
また、伸縮機構部６の動作は、第１状態での待機（保持）が第９時間Ｔ９経過することで、待機動作Ｓ１２が完了（終了）となり、前進動作Ｓ１３に切り替わる。なお、待機動作Ｓ１２の完了は、保持動作Ｓ２の完了と同じタイミング、或いは保持動作Ｓ２の完了より若干早いタイミングになるよう設定される。言い換えると、第７時間Ｔ７に第８時間Ｔ８及び第９時間Ｔ９を足した時間が、第３時間Ｔ３に第４時間Ｔ４を足した時間と同じ或いは若干短い（小さい数値）になっている。
【００７５】
前進動作Ｓ１３では、第１状態のケース４２を、所定の時間（第１０時間Ｔ１０）かけて、前方に移動させて（前進させて）、第２状態に切り替える。これによって、筒体部７は、第１状態の場合に比べて収縮され、ケース４２は、平面視において貫通孔４２ｂが下流筒３２から前方にずれて位置する。そして、前進動作Ｓ１３は、ケース４２が第２状態に切り替わり（第２状態に戻り）、完了（終了）となる。
【００７６】
なお、前進動作Ｓ１３の完了は、復元動作Ｓ３の完了と同じタイミング、或いは復元動作Ｓ３の完了より若干早いタイミングになるよう設定される。言い換えると、第７時間Ｔ７に第８時間Ｔ８及び第９時間Ｔ９及び第１０時間Ｔ１０を足した時間が、第３時間Ｔ３に第４時間Ｔ４及び第５時間Ｔ５を足した時間と同じ或いは若干短い（小さい数値）になっている。
【００７７】
このように、便器装置は、下流端４１ｂを自由端としたトラップ筒４１と、トラップ筒４１の下流端４１ｂを上下に回動させる回動機構部５とを備える。便器装置は、トラップ筒４１を回動機構部５による回動で封水姿勢と排水姿勢とに切替自在としてなる。そして、便器装置は、トラップ筒４１に設けられ可撓性を有した筒体部７と、筒体部７をその軸方向に伸縮させる伸縮機構部６とを有する。伸縮機構部６は、前記封水姿勢時に筒体部７を収縮させた状態とするものである。
【００７８】
このため、便器装置は、例えば、第１状態でケース４２の前記上部とボウル部１２（椀状部１３）との間に前記隙間を有する場合等に、前記封水姿勢時において、底開口１４からトラップ筒４１の前記下流側部位に至る流路長を縮めることができる。これによって、便器装置は、前記封水姿勢時に封水用に貯留する水量を、縮めていない状態に比べて削減する（低減する）ことができて、節水性能を向上させ易くすることができる。
【００７９】
また、伸縮機構部６は、前記排水姿勢時に筒体部７を伸長させた状態とするものであることが好ましい。この場合、便器装置は、収縮させた状態に比べて、トラップ筒４１の下流端４１ｂから前記排水口に至る流路の増長を抑制し易くすることができる。
【００８０】
このため、便器装置は、前記排水口に至る前記流路が増長な場合に比べて、汚物等を前記排水口に排出し易くすることができる。これによって、便器装置は、例えば、汚物等排出用の給水の増加を抑制することができる等で、節水性能を向上させ易くすることができる。
【００８１】
また、筒体部７は、蛇腹形状の筒状体で形成することが好ましい。この場合、前記封水姿勢にあっては、筒体部７を収縮させることで、蛇腹の間の前記隙間を狭めて（詰めて）、この隙間に溜まる水を低減したり、蛇腹の前記直径（流路径）を狭めて、筒の容量を低減したりすることができる。これによって、便器装置は、節水性能を向上させ易くすることができる。
【００８２】
更に、前記封水姿勢にあっては、筒体部７を伸長させることで、蛇腹の角を鈍角にして、筒体部７内の蛇腹による凹凸をなだらかにしたり（流路抵抗を軽減したり）、筒体部７の流路径を拡大したり（流量を大きくしたり）することができる。これによって、便器装置は、例えば、排水性能が向上されて前記給水経路からの給水量を低減することができる等で、節水性能を向上させ易くすることができる。
【００８３】
また、伸縮機構部６は、前記排水姿勢から前記封水姿勢に向けて回動させるときに、伸長させた筒体部７（伸長状態の筒体部７）を収縮させる収縮動作（前進動作Ｓ１３）を行うことが好ましい。そして、収縮動作（前進動作Ｓ１３）は、前記給水経路を止水に切り替える前に、完了となることが好ましい。
【００８４】
この場合、便器装置は、トラップ筒４１への封水用の水の貯留完了前に、安定して筒体部７を収縮状態にすることができる。これによって、便器装置は、筒体部７の収縮を用いた前記封水姿勢での節水性能を安定して得易くすることができる。
【００８５】
また、回動機構部５は、前記封水姿勢から下端部を更に上方の位置に移動させた後、前記排水姿勢に向けて下方に移動させるものであることが好ましい。そして、伸縮機構部６は、前記排水姿勢に向けて下方に移動させるときに、筒体部７を伸長させる伸長動作（後退動作Ｓ１１）を行うことが好ましい。そして、伸長動作（後退動作Ｓ１１）は、前記排水姿勢に到達する前に、完了となることが好ましい。
【００８６】
この場合、便器装置は、前記封水姿勢時に比べてボウル部１２の貯水量を増加させることができる。これによって、便器装置は、汚物等を排出させ易くすることができる。そして、便器装置は、前記排水姿勢到達前に第１状態となることで、排水姿勢での排出を安定して行い易くすることができる。これによって、便器装置は、例えば、排水時における給水の増加を抑制し易くなる等で、節水性能を向上させ易くすることができる。
【００８７】
なお、本発明は、前述の実施形態の構成のみに限定されるものではなく、本発明の意図する範囲内であれば、適宜の設計変更を行うことが可能である。例えば、便器装置は、床の前記排水口に水等を排出する所謂床排水型に限らず、建物の壁面の排水口に水等を排出する所謂壁排水型であってもよい。また例えば、伸縮機構部６は、ソレノイドによって、ケース４２を前後に移動させるものであってもよい。
【符号の説明】
【００８８】
１  便器本体
３  排水経路
４  トラップ装置
５  回動機構部
６  伸縮機構部
７  筒体部
１２  ボウル部
１２ａ  下流端（ボウル部）
１４  底開口
１５  排水筒
４１  トラップ筒
４１ｂ  下流端（トラップ筒）
４２  ケース
４４  連通路
６１  ガイド部
６３  移動体
６４  駆動部
Ｒ１  筒の内径
【図１】
2015059368.tif 000003
【図２】
2015059368.tif 000004
【図３】
2015059368.tif 000005
【図４】
2015059368.tif 000006
【図５】
2015059368.tif 000007